(57)【特許請求の範囲】
【請求項１】
一次巻線と二次巻線とが軸線方向で対向する状態で配置されているトランスであって、
一対の鍔部で囲まれた巻枠部を備える第１分割ドラム部を前記軸線方向に複数備えると共に、隣り合う第１分割ドラム部の間に空隙である第１嵌合凹部が設けられている第１分割ボビンと、
一対の鍔部で囲まれた巻枠部を備える第２分割ドラム部を前記軸線方向に複数備えると共に、隣り合う第２分割ドラム部の間に空隙である第２嵌合凹部が設けられている第２分割ボビンと、
を備え、
前記第１嵌合凹部には、前記第２分割ドラム部が嵌め込まれ、前記第２嵌合凹部には、前記第１分割ドラム部が嵌め込まれ、
前記一次巻線は、複数の前記第１分割ドラム部に跨る状態で配置され、
前記二次巻線は、複数の前記第２分割ドラム部に跨る状態で配置され、
隣り合う前記第１分割ドラム部の間には、これらを連結する第１連結部が設けられていて、
隣り合う前記第２分割ドラム部の間には、これらを連結する第２連結部が設けられていて、
前記第１連結部および前記第２連結部のそれぞれには、これらの外表面から窪むと共に前記一次巻線および前記二次巻線を構成する導線をガイドするための導線溝が設けられている、
ことを特徴とするトランス。
【請求項２】
請求項１記載のトランスであって、
前記第１分割ドラム部のいずれかの前記鍔部と、この鍔部が当接する前記第２連結部の間には、凹凸形状の嵌合によって位置決めを行うための位置決め部材が設けられていて、
前記第２分割ドラム部のいずれかの前記鍔部と、この鍔部が当接する前記第１連結部の間には、凹凸形状の嵌合によって位置決めを行うための位置決め部材が設けられている、
ことを特徴とするトランス。
【請求項３】
請求項１または２記載のトランスであって、
前記鍔部は、支持鍔部と、この支持鍔部よりも厚みの薄い補助鍔部とが段差をなす状態で一体的に設けられていて、
前記第１分割ドラム部においては、前記支持鍔部は、前記補助鍔部よりも前記第１連結部側に位置していて、
前記第２分割ドラム部においては、前記支持鍔部は、前記補助鍔部よりも前記第１連結部側に位置している、
ことを特徴とするトランス。
【発明の詳細な説明】
【技術分野】
【０００１】
本発明は、トランスに関する。
【背景技術】
【０００２】
磁性素子の一種であるトランスには、様々なタイプが存在しているが、その中には、同じ巻枠部に一次巻線と二次巻線を重ねて配置するタイプ（積層タイプとする）が存在している。この積層タイプでは、一次巻線と二次巻線とが積層されているので、漏れ磁束が少なくなり、一次巻線と二次巻線の磁気的な結合が良好となる。
【０００３】
一方、トランスには、上記のタイプとは別のタイプとして、一次巻線と二次巻線とを別のボビンに巻回し、それらを同一の軸線に配置するような、分割巻きタイプのものも存在している。この分割巻きタイプのトランスでは、一次巻線と二次巻線とがボビンの鍔によって分離されているので、沿面距離をとることができ、高い絶縁性を確保することができる。
【０００４】
なお、分割巻きタイプとしては、たとえば特許文献１に示すようなものが存在している。特許文献１に示す構成では、外周側の溝には一次巻線が巻回され、内周側の巻芯には二次巻線が巻回されている構成が開示されている。
【先行技術文献】
【特許文献】
【０００５】
【特許文献１】特許第４２３９３２３号公報
【発明の概要】
【発明が解決しようとする課題】
【０００６】
ところで、上述した積層タイプのトランスでは、一次巻線と二次巻線の間の沿面距離を取ろうとする場合には、絶縁性を有するバリアテープ等を、一次巻線と二次巻線の間に設ける必要がある。また、一次巻線と二次巻線との間の電位差が大きくなると、コロナ放電等を発生する場合があり、そのコロナ放電により絶縁破壊されてしまう場合がある。
【０００７】
これに対して、分割巻きタイプのトランスでは、コロナ放電のような問題は生じ難いものの、磁束の鎖交面積が小さくなり、結合が良好ではない、という問題がある。
【０００８】
また、特許文献１に示す構成では、一次巻線の巻数が少なくなってしまうという問題がある。加えて、特許文献１に示す構成では、電線を内周側の巻芯に巻回して二次巻線を形成した後に、外周側の溝に電線を巻回して一次巻線を形成する必要があるので、製造に際しての制約が多いという問題もある。
【０００９】
本発明は、かかる問題に鑑みてなされたものであり、その目的とするところは、一次巻線と二次巻線の間の耐圧性を確保することができると共に、磁気的な結合を良好にすることが分割巻きタイプのトランスを提供しよう、とするものである。
【課題を解決するための手段】
【００１０】
上記課題を解決するために、本発明のトランスは、一次巻線と二次巻線とが軸線方向で対向する状態で配置されているトランスであって、一対の鍔部で囲まれた巻枠部を備える第１分割ドラム部を軸線方向に複数備えると共に、隣り合う第１分割ドラム部の間に空隙である第１嵌合凹部が設けられている第１分割ボビンと、一対の鍔部で囲まれた巻枠部を備える第２分割ドラム部を軸線方向に複数備えると共に、隣り合う第２分割ドラム部の間に空隙である第２嵌合凹部が設けられている第２分割ボビンと、を備え、第１嵌合凹部には、第２分割ドラム部が嵌め込まれ、第２嵌合凹部には、第１分割ドラム部が嵌め込まれ、一次巻線は、複数の第１分割ドラム部に跨る状態で配置され、二次巻線は、複数の第２分割ドラム部に跨る状態で配置され、隣り合う第１分割ドラム部の間には、これらを連結する第１連結部が設けられていて、隣り合う第２分割ドラム部の間には、これらを連結する第２連結部が設けられていて、第１連結部および第２連結部のそれぞれには、これらの外表面から窪むと共に一次巻線および二次巻線を構成する導線をガイドするための導線溝が設けられている、ことを特徴としている。
【００１２】
さらに、本発明のトランスの他の側面は、上述の発明に加えて更に、第１分割ドラム部のいずれかの鍔部と、この鍔部が当接する第２連結部の間には、凹凸形状の嵌合によって位置決めを行うための位置決め部材が設けられていて、第２分割ドラム部のいずれかの鍔部と、この鍔部が当接する第１連結部の間には、凹凸形状の嵌合によって位置決めを行うための位置決め部材が設けられている、ことが好ましい。
【００１３】
また、本発明のトランスの他の側面は、上述の発明に加えて更に、鍔部は、支持鍔部と、この支持鍔部よりも厚みの薄い補助鍔部とが段差をなす状態で一体的に設けられていて、第１分割ドラム部においては、支持鍔部は、補助鍔部よりも第１連結部側に位置していて、第２分割ドラム部においては、支持鍔部は、補助鍔部よりも第１連結部側に位置している、ことが好ましい。
【発明の効果】
【００１４】
本発明によると、トランスにおいて一次巻線と二次巻線の間の耐圧性を確保することができると共に、磁気的な結合を良好にすることが可能となる。
【図面の簡単な説明】
【００１５】
【図１】本発明の一実施の形態に係るトランス用の嵌合ボビンの第１構成例を示す斜視図である。
【図２】図１の嵌合ボビンを構成する分割ボビンを示す斜視図である。
【図３】図１の構成から一次巻線と二次巻線を取り出した状態を示す斜視図であり、磁気的な結合状態を示す図である。
【図４】第２構成例に係る嵌合ボビン１０Ｓを示す斜視図である。
【図５】図４に示す嵌合ボビンを構成する分割ボビンを示す斜視図である。
【図６】第３構成例に係る嵌合ボビンを示す側面図である。
【図７】図６に示す嵌合ボビンを構成する分割ボビンを示す側面図である。
【図８】本発明の一実施の形態に係るトランスの全体構成を示す斜視図である。
【図９】図８に示すトランスのコア体を構成するＥ形コアを示す斜視図である。
【発明を実施するための形態】
【００１６】
以下、本発明の一実施の形態に係るトランス１で用いられる嵌合ボビン１０について、図面に基づいて説明する。なお、以下の説明では、最初に嵌合ボビン１０の第１構成例から第３構成例について説明し、その後に嵌合ボビン１０を用いたトランス１について説明する。
【００１７】
また、以下の説明では、ＸＹＺ直交座標系を用いて説明することがあるものとし、接続端子５０が突出する側を下方側（Ｚ２側）、それとは逆の上方係止部２４側を上方側（Ｚ１側）として説明する。また、嵌合ボビン１０の軸線方向をＸ方向とし、図１において右側をＸ１側、それとは逆の左側をＸ２側として説明する。また、Ｚ方向およびＸ方向に直交する方向をＹ方向とし、図１において右側かつ奥側をＹ１側、それとは逆の左側かつ手前をＹ２側として説明する。
【００１８】
＜１．嵌合ボビンの第１構成例について＞
図１は、トランス用の嵌合ボビン１０の第１構成例を示す斜視図である。なお、図１には、嵌合ボビン１０に一次巻線３０および二次巻線４０が巻回された状態が示されている。図２は、嵌合ボビン１０を構成する分割ボビン２０を示す斜視図である。なお、図２には、一次巻線３０が巻回された分割ボビン２０が示されている。なお、嵌合ボビン１０の第１構成例は、嵌合ボビン１０の基本的な形態に関するものである。したがって、第１構成例において示される基本的な構成に関する考え方は、後述する第２構成例および第３構成例においても包含されている。
【００１９】
以下の説明では、必要に応じて、一次巻線３０が巻回されている側の分割ボビン２０を分割ボビン２０Ａとし、二次巻線４０が巻回されている側の分割ボビン２０を分割ボビン２０Ｂとするが、両者を区別する必要がない場合には、単に分割ボビン２０と称呼する。なお、分割ボビン２０Ａは第１分割ボビンに対応し、分割ボビン２０Ｂは第２分割ボビンに対応している。
【００２０】
図１および図２に示すように、第１構成例に係る嵌合ボビン１０は、２つの分割ボビン２０を嵌合させることで構成されている。２つの分割ボビン２０は、同一形状に設けられている。これらの分割ボビン２０は、分割ドラム部２１と、連結部２２と、下方係止部２３と、上方係止部２４とを有している。
【００２１】
なお、分割ボビン２０Ａの分割ドラム部２１は、第１分割ドラム部に対応し、分割ボビン２０Ｂの分割ドラム部２１は、第２分割ドラム部に対応している。
【００２２】
また、分割ボビン２０Ａにおいては、隣り合う分割巻枠部２１と連結部２２とで囲まれた部分は、分割ボビン２０Ｂの分割ドラム部２１が入り込む嵌合凹部２５となっている。同じく、分割ボビン２０Ｂにおいても、隣り合う分割巻枠部２１と連結部２２とで囲まれた部分は、分割ボビン２０Ａの分割ドラム部２１が入り込む嵌合凹部２５となっている。
【００２３】
なお、分割ボビン２０Ａの嵌合凹部２５は第１嵌合凹部に対応し、分割ボビン２０ＢのＡの嵌合凹部２５は第２嵌合凹部に対応している。
【００２４】
分割ドラム部２１は、内周側に筒孔２１１ａを備えた円筒形状の円筒部２１１と、円筒部２１１の両端側に位置する一対の鍔部２１２とを備えている。そして、これらで囲まれた部分が導線Ｗを巻回させる巻枠部２１３となっている。図１および図２に示す構成では、それぞれの分割ボビン２０は、２つの分割ドラム部２１を備えている。したがって、巻枠部２１３は、その分だけ薄型に設けられている。それぞれの巻枠部２１３には、エナメル等の絶縁被膜で被覆された導線Ｗが巻回され、それによって一次巻線３０または二次巻線４０が形成される。
【００２５】
また、連結部２２は、隣り合う分割ドラム部２１を連結するための部分である。嵌合ボビン１０は、分割ボビン２０Ａと分割ボビン２０Ｂとを嵌合させることで、構成されている。そのため、第１構成例では、全ての連結部２２は分割ドラム部２１の下方側に位置している。なお、全ての連結部２２は分割ドラム部２１の上方側に位置している構成を採用しても良い。また、分割ボビン２０Ａの連結部２２は、第１連結部に対応し、分割ボビン２０Ｂの連結部２２は、第２連結部に対応している。
【００２６】
図１に示すように、連結部２２には、導線溝２２１が設けられている。導線溝２２１は、それぞれの分割ボビン２０Ａ，２０Ｂにおいて、別の巻枠部２１３に向けて導線Ｗをガイドする溝状の部分であり、連結部２２の外表面２２ａから窪んでいる。かかる導線溝２２１の存在により、導線Ｗの位置決めがされ、また導線Ｗが連結部２２の外表面２２ａから飛び出すのが防止される。なお、連結部２２から導線溝２２１を省略する構成を採用しても良い。
【００２７】
下方係止部２３と上方係止部２４とは、共通の形状に設けられている。ただし、下方係止部２３と上方係止部２４とを異なる形状に形成しても良い。これらの下方係止部２３と上方係止部２４とは、不図示のコアが取り付けられる際の、位置決め部分として機能する。また、下方係止部２３と上方係止部２４には、接続端子５０が取り付け可能となっている。たとえば、下方係止部２３と上方係止部２４のそれぞれに、挿入穴Ｐを形成し、この挿入穴Ｐに接続端子５０を差し込んで、取り付けることができる。接続端子５０を挿入穴Ｐに差し込んで取り付ける場合、抜止部を設けるようにしても良い。
【００２８】
なお、下方係止部２３と上方係止部２４に対して、接続端子５０を取り付ける手法は、差し込みに限られるものではなく、たとえばインサート成形等を行うようにしても良い。
【００２９】
下方係止部２３と上方係止部２４のいずれにも、導線溝２３１，２４１が設けられている。そのため、下方係止部２３および上方係止部２４に接続端子５０が取り付けられた場合には、接続端子５０まで導線Ｗをガイドさせることが可能となる。
【００３０】
また、嵌合凹部２５は、隣り合う分割ドラム部２１の間に設けられている。この嵌合凹部２５には、他方の分割ボビン２０の分割ドラム部２１が入り込むが、その入り込み後のガタつきを低減するために、嵌合凹部２５のＸ方向の寸法は、一方の鍔部２１２のうち巻枠部２１３の外側の表面２１２ａから他方の鍔部２１２のうち巻枠部２１３の外側の表面２１２ａまでの寸法と一致していることが好ましい。
【００３１】
ここで、鍔部２１２のうち嵌合凹部２５へ差し込まれる側の縁部２１２ｂは、幅方向（Ｙ方向）において直線状に設けられていることが好ましい。このように、縁部２１２ｂを幅方向において直線状に設ける場合、嵌合凹部２５に分割ドラム部２１を差し込んだ際に、連結部２２の内表面２２ｂに対する接触幅を広くすることが可能となり、嵌合状態を安定化させることができる。ただし、縁部２１２ｂと内表面２２ｂとが対応する曲面形状であっても良い。
【００３２】
また、縁部２１２ｂが内表面２２ｂに当接すると、分割ボビン２０Ａの筒孔２１１ａと分割ボビン２０Ｂの筒孔２１１ａとを良好に連通させることができ、図示を省略するコアの柱脚部を差し込むことが可能となる。
【００３３】
図３は、図１の構成から一次巻線３０と二次巻線４０を取り出した状態を示す斜視図であり、磁気的な結合状態を示す図である。図３に示すように、第１構成例に係る嵌合ボビン１０を用いる場合、図３に示すように、鎖交箇所ＭＦを増やすことが可能となる。すなわち、現状の分割巻きタイプのトランスでは、鎖交箇所が１箇所のみしか存在しておらず、そのため、漏れ磁束が多くなってしまう。
【００３４】
しかしながら、図３から明らかなように、第１構成例においては、それぞれの分割ボビン２０が２つの分割ドラム部２１を有し、それらが嵌合されることで、合計３箇所の鎖交箇所が存在する状態となる。そのため、全体的な鎖交面積を広げることが可能となる。したがって、一次巻線３０のみしか鎖交しない、または二次巻線４０のみしか鎖交しないといった漏れ磁束が低減され、一次巻線３０と二次巻線４０との磁気的な結合を高めることが可能となる。
【００３５】
また、図１および図２に示す構成では、現状の分割巻タイプのトランスのように、鍔部２１２により一次巻線３０と二次巻線４０とを分離しているので、沿面距離をとることができ、高い絶縁性を確保することができる。すなわち、鍔部２１２の存在によって一次巻線３０と二次巻線４０の間の耐圧性を確保することが可能となる。
【００３６】
また、連結部２２には、その外表面２２ａから窪んだ導線溝２２１が設けられている。このため、導線Ｗの位置決めをすることができ、また導線Ｗが連結部２２の外表面２２ａから飛び出すのを防止することができる。
【００３７】
＜２．嵌合ボビンの第２構成例について＞
図４は、第２構成例に係る嵌合ボビン１０を示す斜視図である。図５は、図４に示す嵌合ボビン１０を構成する分割ボビン２０を示す斜視図である。なお、第２構成例に係る嵌合ボビン１０は、以下の説明においては、必要に応じて嵌合ボビン１０Ｓと称呼するが、単に嵌合ボビン１０と称呼する場合もある。また、図４に示す分割ボビン２０においても、必要に応じて分割ボビン２０Ｓと称呼する場合があり、また図１の分割ボビン２０Ａに対応するものを分割ボビン２０ＡＳと称呼する場合があるが、単に分割ボビン２０Ａと称呼する場合もある。同様に、図１の分割ボビン２０Ｂに対応するものを分割ボビン２０ＢＳと称呼する場合があるが、単に分割ボビン２０Ｂと称呼する場合もある。
【００３８】
図４および図５に示すように、第２構成例に係る嵌合ボビン１０Ｓでは、その形状が異なってはいるものの、基本的な構成要素は、すでに説明した図１および図２に示す嵌合ボビン１０と同様となっている。このため、同様の構成については、その説明を省略する。
【００３９】
また、図４および図５に示す構成では、分割ボビン２０Ｓは、それぞれ３つの分割ドラム部２１を有している。すなわち、一次巻線３０は３つの分割ドラム部２１に跨って存在し、同様に二次巻線４０は３つの分割ドラム部２１に跨って存在している。
【００４０】
また、本実施の形態では、鍔部２１２の外周側は、その上方側および下方側を除いて、円弧状に設けられている。すなわち、筒孔２１１ａから鍔部２１２の外周までの距離は、鍔部２１２の上方側および下方側を除いて、一定となるように設けられている。
【００４１】
また、図４および図５に示す構成では、鍔部２１２のうち嵌合凹部２５へ差し込まれる側の縁部２１２ｂには、位置決め突起２１２ｃが設けられている。この位置決め突起２１２ｃは、連結部２２の内表面２２ｂに存在する位置決め凹部２２ｃに差し込まれる部分である。すなわち、分割ボビン２０ＡＳの位置決め突起２１２ｃは、分割ボビン２０ＢＳの位置決め凹部２２ｃに差し込まれ、分割ボビン２０ＢＳの位置決め突起２１２ｃは、分割ボビン２０ＡＳの位置決め凹部２２ｃに差し込まれる。そのため、第２構成例の嵌合ボビン１０Ｓでは、分割ボビン２０ＡＳと分割ボビン２０ＢＳとは、幅方向（Ｙ方向）における位置も定められ、幅方向（Ｙ方向）における位置ずれが生じ難い構成となっている。
【００４２】
なお、位置決め突起２１２ｃおよび位置決め凹部２２ｃは、凹凸形状の嵌合によって位置決めを行うための位置決め部材に対応する。
【００４３】
さらに、図４および図５に示す構成では、下方係止部２３および上方係止部２４に存在する導線溝２３１，２４１は、嵌合ボビン１０Ｓの軸線方向（Ｘ方向）に対して傾斜したテーパ溝となっていて、巻枠部２１３側から離れるにつれて、徐々に挿入穴Ｐが露出している表面に向かうように傾斜している。そのため、導線溝２３１，導線溝２４１に導線Ｗが導入されると、導線Ｗを接続端子５０まで良好にガイドすることが可能となっている。
【００４４】
また、図４および図５に示す構成では、下方係止部２３および上方係止部２４には、スタンドオフ２３２，２４２が設けられている。スタンドオフ２３２は、下方係止部２３の幅方向（Ｙ方向）の両端側に設けられ、同じくスタンドオフ２４２も、上方係止部２４の幅方向の両端側に設けられている。そのため、接続端子５０に導線Ｗの端末を絡げた場合に、実装基板から絡げ部分を離すことができる。また、たとえばＥＰコア等のようなコアを取り付ける場合に、スタンドオフ２３２，２４２は、コアの位置決めとして機能させることができ、コアの位置ずれを防ぐこともできる。
【００４５】
以上のような構成においては、位置決め突起２１２ｃおよび位置決め凹部２２ｃの間の嵌まり込みにより、分割ボビン２０ＡＳと分割ボビン２０ＢＳの位置決めが正確になされる。そのため、両者の組み付け性を向上させることが可能となる。また、鍔部２１２は、その上方側および下方側を除いた外周側が円弧状に設けられているので、上方側および下方側を除いて、嵌合ボビン１０の中心軸線から鍔部２１２の外周側までの距離のばらつきを低減することができる。したがって、この外周側にコアを配置する場合に、漏れ磁束を良好に低減することが可能となる。
【００４６】
＜３．嵌合ボビンの第３成例について＞
次に、嵌合ボビン１０の第３構成例について説明する。図６は、第３構成例に係る嵌合ボビン１０Ｔを示す側面図である。図７は、図６に示す嵌合ボビン１０Ｔを構成する分割ボビン２０Ｔを示す側面図である。
【００４７】
なお、第３構成例に係る嵌合ボビン１０は、以下の説明においては、必要に応じて嵌合ボビン１０Ｔと称呼するが、単に嵌合ボビン１０と称呼する場合もある。また、図７に示す分割ボビン２０においても、必要に応じて分割ボビン２０Ｔと称呼する場合があり、また図１の分割ボビン２０Ａに対応するものを分割ボビン２０ＡＴと称呼する場合があるが、単に分割ボビン２０Ａと称呼する場合もある。同様に、図１の分割ボビン２０Ｂに対応するものを分割ボビン２０ＢＴと称呼する場合があるが、単に分割ボビン２０Ｂと称呼する場合もある。
【００４８】
図６に示すように、第３構成例に係る嵌合ボビン１０Ｔは、鍔部２１２の形態が異なっている。すなわち、図１や図４に示す構成においては、鍔部２１２の周方向の全周に亘って、鍔部２１２の厚みは均一となっている。これに対して、第３構成例の鍔部２１２では、鍔部２１２の厚みは、全周に亘って同一には設けられておらず、鍔部２１２の部位によって異なっている。以下の説明においては、第３構成例の鍔部２１２を鍔部２１２Ｔと称呼する場合があるが、単に鍔部２１２と称呼する場合もある。
【００４９】
具体的には、図７に示すように、鍔部２１２Ｔには、支持鍔部２１４と補助鍔部２１５とが設けられている。支持鍔部２１４は、補助鍔部２１５よりも連結部２２側に位置していて、その厚みは補助鍔部２１５よりも厚くなっている。一方、補助鍔部２１５は連結部２２から離れる側に位置していて、支持鍔部２１４よりも薄型化が図られている。
【００５０】
支持鍔部２１４は、連結部２２や円筒部２１１と連結している部分であり、分割ボビン２０の骨格をなす部分の１つである。そのため、支持鍔部２１４では、強度が必要となっているので、支持鍔部２１４の厚みは、補助鍔部２１５の厚みよりも厚くなっている。すなわち、支持鍔部２１４の厚みは、図１や図４に示す鍔部２１２と同様の厚みに設けられていて、十分な強度を有している。
【００５１】
これとは逆に、補助鍔部２１５は、円筒部２１１と連結されているものの、連結部２２とは連結されておらず、分割ボビン２０の骨格をなしていない。そのため、補助鍔部２１５では、さほど強度は要求されていないので、補助鍔部２１５の厚みは、支持鍔部２１４よりも薄くなるように設けられている。
【００５２】
このような支持鍔部２１４と補助鍔部２１５とを有することにより、鍔部２１２Ｔは、図７に示すような段差形状に設けられている。すなわち、支持鍔部２１４と補助鍔部２１５の間には、厚みの相違によって段差面２１６が存在している。分割ボビン２０ＡＴと分割ボビン２０ＢＴとを嵌合させる場合、両者に存在する段差面２１６は、互いに突き合わされるか、または非常に狭い隙間を有する状態で対向する。
【００５３】
また、分割ボビン２０ＡＴと分割ボビン２０ＢＴとを嵌合させる場合、図６に示すように、支持鍔部２１４と補助鍔部２１５とが隣り合うが、このとき、両者が面接触することが好ましい。この嵌合状態では、支持鍔部２１４と補助鍔部２１５とを合計した厚みは、図１や図４に示すような、隣接する２つの鍔部２１２を合計した厚みよりも薄くなる。
【００５４】
このように、仮に嵌合ボビン１０の軸線方向（Ｘ方向）の長さが同じであれば、一対の鍔部２１２で囲まれた巻枠部２１３の軸線方向（Ｘ方向）における寸法を大きくすることができる。それにより、巻枠部２１３での導線Ｗの巻数を多くすることができる。
【００５５】
また、分割ボビン２０Ｔの鍔部２１２Ｔのうち、連結部２２側には支持鍔部２１４が存在していて、分割ボビン２０Ｔの骨格的な部分の分割ボビン２０Ｔの強度が損なわれるのを防止している。すなわち、第３構成例では、隣接する２つの鍔部２１２Ｔを合計した厚みを低減しながらも、鍔部２１２Ｔの強度が低下するのを防止可能となる。
【００５６】
なお、第３構成例においては、下方係止部２３および上方係止部２４の双方と連結されている鍔部２１２Ｔは、上下方向の両方側で強度が要求され、かつ他の鍔部２１２Ｔと隣接することがない。そのため、下方係止部２３および上方係止部２４と連結されている鍔部２１２Ｔは、図１や図４に示す鍔部２１２と同様に全周に亘って均一な厚みに設けられている。
【００５７】
＜４．嵌合ボビンを用いたトランスについて＞
次に、嵌合ボビン１０を用いたトランス１について説明する。図８は、本発明の一実施の形態に係るトランス１の全体構成を示す斜視図である。図８に示すトランス１は、２つの２つのＥ形コア６１が突き合わされたコア体６０を備えている。かかるＥ形コア６１の突き合わせにより、一次巻線３０および二次巻線４０の外周側にもＥ形コア６１の一部（後述するコア端面部６１３）が配置され、漏れ磁束が低減される。
【００５８】
図９は、図８に示すトランス１のコア体６０を構成するＥ形コア６１を示す斜視図である。図９に示すように、Ｅ形コア６１は、コア底部６１１と、コア中脚部６１２と、コア端面部６１３とを有していて、側面視したときの形状がＥ形となるように設けられている。
【００５９】
コア底部６１１は、最も大面積の部分であり、また長手方向の寸法が最も長く設けられている。なお、Ｅ形コア６１は、図４に示すような分割ボビン２０Ｓの下方係止部２３と上方係止部２４の間に配置されるため、コア底部６１１の長手方向（Ｙ方向）の中央側の縁部がコア中脚部６１２に向かうように窪んでいる。しかしながら、図１に示すような分割ボビン２０にＥ形コアが取り付けられる場合には、このような窪みは形成されない。
【００６０】
コア底部６１１の長手方向の中央部分には、コア中脚部６１２が立設されている。コア中脚部６１２は円柱状に設けられていて、その円柱状のコア中脚部６１２は、上述した筒孔２１１ａに差し込まれる。
【００６１】
また、コア端面部６１３は、Ｅ形コア６１の長手方向の両端側から、コア中脚部６１２と同じ向きに突出するように立設されている。なお、コア端面部６１３の内周壁部は平面状には設けられておらず、コア中脚部６１２と対向するような円弧を描くような形状に設けられている。そのため、コア中脚部６１２の外周とコア端面部６１３の内壁との間の寸法は、概ね同一径の隙間が設けられている。そして、この隙間には、鍔部２１２が位置することが可能となっている。
【００６２】
なお、２つのＥ形コア６１を突き合わせる場合、コア中脚部６１２の端面６１２ａ同士が突き合わされる。かかる突き合わせにおいては、端面６１２ａ同士が直接突き合わされても良く、また電気的な絶縁性を有しかつ非磁性部材のスペーサを介して端面６１２ａ同士が突き合わされても良い。また、非常に狭い隙間を介して端面６１２ａ同士が対向しても良い。
【００６３】
このようなトランス１においては、上述したように、一次巻線３０と二次巻線４０の間の耐圧性を確保することができると共に、磁気的な結合を良好にすることが可能となる。
【００６４】
＜変形例＞
以上、本発明の一実施の形態について説明したが、本発明はこれ以外にも種々変形可能となっている。以下、それについて述べる。
【００６５】
上述の実施の形態では、嵌合ボビン１０を構成する２つの分割ボビン２０（第１分割ボビン、第２分割ボビン）は、同じ形状に設けられている。しかしながら、２つの分割ボビン２０が、互いに異なる形状に設けられていても良い。たとえば、一次巻線３０の巻数と二次巻線４０の巻数とが大幅に異なる場合がある。そのような場合に対応させて、一方の分割ボビン２０においては巻枠部２１３の軸線方向の長さが長くなるようにし、他方の分割ボビン２０においては巻枠部２１３の軸線方向の長さが短くなるようにしても良い。
【００６６】
また、上述の実施の形態では、分割ボビン２０は、ピン状の接続端子５０を有するピンタイプのものについて説明している。しかしながら、分割ボビンは、接続端子５０が基板のスルーホール等の孔部分に挿入されるピンタイプに限られるものではなく、接続端子が基板のクリーム半田塗布部等に対して面状に接触する面実装タイプであっても良い。この場合、接続端子は、端子台に相当する下方係止部の側方から突出し、一方で基板への実装部分は基板表面に平行であり、その間の部分がテーパ状となっている構成であっても良い。
【００６７】
また、上述の実施の形態では、コア体６０を構成するコアとして、Ｅ形コア６１が示されている。しかしながら、コアは、Ｅ形コア６１に限られるものではない。たとえば、ドラムコア、リングコア、棒コア等、種々の形状のコアを用いることが可能である。
【００６８】
また、上述の実施の形態では、鍔部２１２には、その径方向に延伸するようなスリットを設ける構成としても良い。そして、このスリットを導線用途で用いても良く、また放熱のために用いても良い。
【００６９】
また、上述の実施の形態では、嵌合ボビン１０は、２つの分割ボビン２０を嵌合させることにより構成されている。しかしながら、嵌合ボビン１０は、３つ以上の分割ボビンを組み合わせて構成されていても良い。３分割以上の分割ボビンを組み合わせて嵌合ボビンを構成する場合、磁気的な結合をより良好にすることが可能となる。
【００７０】
また、上述の実施の形態では、嵌合ボビン１０は、トランス用として説明している。しかしながら、嵌合ボビン１０は、トランス用に限られるものではない。たとえば、チョークコイルやリアクトルのようなインダクタに嵌合ボビンを用いるようにしても良い。
【符号の説明】
【００７１】
１…トランス、１０，１０Ｓ，１０Ｔ…嵌合ボビン、２０…分割ボビン２０、２０Ａ，２０ＡＳ，２０ＡＴ…分割ボビン（第１分割ボビンの一例に対応）、２０Ｂ，２０ＢＳ，２０ＢＴ…分割ボビン（第２分割ボビンの一例に対応）、２１…分割ドラム部（第１分割ドラム部および第２分割ドラム部の一例に対応）、２２…連結部（第１連結部および第２連結部の一例に対応）、２２ａ…外表面、２２ｂ…内表面、２２ｃ…位置決め凹部（位置決め部材の一例に対応）、２３…下方係止部、２４…上方係止部、２５…嵌合凹部（第１嵌合凹部および第２嵌合凹部の一例に対応）、３０…一次巻線、４０…二次巻線、５０…接続端子、６０…コア体、６１…Ｅ形コア、２１１…円筒部、２１１ａ…筒孔、２１２…鍔部、２１２ａ…外側の表面、２１２ｂ…縁部、２１２ｃ…位置決め突起（位置決め部材の一例に対応）、２１３…巻枠部、２１４…支持鍔部、２１５…補助鍔部、２１６…段差面、２２１…導線溝、２３１，２４１…導線溝、２３２，２４２…スタンドオフ、６１１…コア底部、６１２…コア中脚部、６１２ａ…端面、６１３…コア端面部Ｗ…導線、
【図１】
0006451229.tif 000002
【図２】
0006451229.tif 000003
【図３】
0006451229.tif 000004
【図４】
0006451229.tif 000005
【図５】
0006451229.tif 000006
【図６】
0006451229.tif 000007
【図７】
0006451229.tif 000008
【図８】
0006451229.tif 000009
【図９】
0006451229.tif 000010